(57)【要約】【課題】本発明は三色データから四色データへの変換方法を開示する。【解決手段】第１所定飽和パラメータ、第２所定飽和パラメータ及び第３所定飽和パラメータに基づいて入力したＲＧＢデータを中間のＲＧＢＷデータに変換するステップＡと、前記中間のＲＧＢＷデータと標準のＲＧＢＷデータに基づいて第１飽和微調整パラメータ、第２飽和微調整パラメータ及び第３飽和微調整パラメータを取得するステップＢと、前記第１飽和微調整パラメータ、第２飽和微調整パラメータ及び第３飽和微調整パラメータを利用して対応する第１所定飽和パラメータ、第２所定飽和パラメータ及び第３所定飽和パラメータをそれぞれ調整するステップＣと、調整後の第１所定飽和パラメータ、第２所定飽和パラメータ及び第３所定飽和パラメータを利用して入力したＲＧＢデータを出力したＲＧＢＷデータに変換するステップＤと、を含む。本発明はさらに三色データから四色データへの変換システムを開示する。【選択図】図4
2018520445.tif 000002
【特許請求の範囲】
【請求項１】
三色データから四色データへの変換方法であって、
第１所定飽和パラメータ、第２所定飽和パラメータ及び第３所定飽和パラメータに基づいて入力したＲＧＢデータを中間のＲＧＢＷデータに変換するステップＡと、
前記中間のＲＧＢＷデータと標準のＲＧＢＷデータに基づいて第１飽和微調整パラメータ、第２飽和微調整パラメータ及び第３飽和微調整パラメータを取得するステップＢと、
前記第１飽和微調整パラメータ、第２飽和微調整パラメータ及び第３飽和微調整パラメータを利用して対応する前記第１所定飽和パラメータ、第２所定飽和パラメータ及び第３所定飽和パラメータをそれぞれ調整するステップＣと、
調整後の第１所定飽和パラメータ、第２所定飽和パラメータ及び第３所定飽和パラメータを利用して入力したＲＧＢデータを出力したＲＧＢＷデータに変換するステップＤと、
を含む、
ことを特徴とする変換方法。
【請求項２】
前記第１所定飽和パラメータ、第２所定飽和パラメータ及び第３所定飽和パラメータに基づいて下記式１を利用して入力したＲＧＢデータを中間のＲＧＢＷデータに変換し、
［式１］
Ｗｍ＝ｍｉｎ（Ｒｉ、Ｇｉ、Ｂｉ）
Ｒｍ＝Ｒｉ−β１×Ｗｍ
Ｇｍ＝Ｇｉ−β２×Ｗｍ
Ｂｍ＝Ｒｉ−β３×Ｗｍ
Ｒｉは入力したＲデータを表示し、Ｇｉは入力したＧデータを表示し、Ｂｉは入力したＢデータを表示し、Ｗｍは前記中間のＷデータを表示し、Ｒｍは前記中間のＲデータを表示し、Ｇｍは前記中間のＧデータを表示し、Ｂｍは前記中間のＢデータを表示し、β１は前記第１所定飽和パラメータを表示し、β２は前記第２所定飽和パラメータを表示し、β３は前記第３所定飽和パラメータを表示することを特徴とする請求項１に記載の変換方法。
【請求項３】
前記第１所定飽和パラメータは記憶したこの前の第１所定飽和パラメータであり、前記第２所定飽和パラメータは記憶したこの前の第２所定飽和パラメータであり、前記第３所定飽和パラメータは記憶したこの前の第３所定飽和パラメータであることを特徴とする請求項１に記載の変換方法。
【請求項４】
前記第１所定飽和パラメータは記憶したこの前の第１所定飽和パラメータであり、前記第２所定飽和パラメータは記憶したこの前の第２所定飽和パラメータであり、前記第３所定飽和パラメータは記憶したこの前の第３所定飽和パラメータであることを特徴とする請求項２に記載の変換方法。
【請求項５】
前記第１飽和微調整パラメータ、第２飽和微調整パラメータ及び第３飽和微調整パラメータを利用して下記式２に基づいて対応する第１所定飽和パラメータ、第２所定飽和パラメータ及び第３所定飽和パラメータをそれぞれ調整し、
［式２］
β１’＝β１＋Δβ１
β２’＝β２＋Δβ２
β３’＝β３＋Δβ３
β１’は調整後の第１所定飽和パラメータを表示し、β２’は調整後の第２所定飽和パラメータを表示し、β３’は調整後の第３所定飽和パラメータを表示し、β１は前記第１所定飽和パラメータを表示し、β２は前記第２所定飽和パラメータを表示し、β３は前記第３所定飽和パラメータを表示し、Δβ１は前記第１飽和微調整パラメータを表示し、Δβ２は前記第２飽和微調整パラメータを表示し、Δβ３は前記第３飽和微調整パラメータを表示することを特徴とする請求項１に記載の変換方法。
【請求項６】
調整後の第１所定飽和パラメータ、第２所定飽和パラメータ及び第３所定飽和パラメータを利用して下記式３に基づいて入力したＲＧＢデータを出力したＲＧＢＷデータに変換し、
［式３］
Ｗｏ＝ｍｉｎ（Ｒｉ、Ｇｉ、Ｂｉ）
Ｒｏ＝Ｒｉ−β１’×Ｗｏ
Ｇｏ＝Ｇｉ−β２’×Ｗｏ
Ｂｏ＝Ｒｉ−β３’×Ｗｏ
Ｒｉは入力したＲデータを表示し、Ｇｉは入力したＧデータを表示し、Ｂｉは入力したＢデータを表示し、Ｗｏは前記出力したＷデータを表示し、Ｒｏは前記出力したＲデータを表示し、Ｇｏは前記出力したＧデータを表示し、Ｂｏは前記出力したＢデータを表示し、β１’は調整後の第１所定飽和パラメータを表示し、β２’は調整後の第２所定飽和パラメータを表示し、β３’は調整後の第３所定飽和パラメータを表示することを特徴とする請求項１に記載の変換方法。
【請求項７】
調整後の第１所定飽和パラメータ、第２所定飽和パラメータと第３所定飽和パラメータを利用して下記式３に基づいて入力したＲＧＢデータを出力したＲＧＢＷデータに変換し、
［式３］
Ｗｏ＝ｍｉｎ（Ｒｉ、Ｇｉ、Ｂｉ）
Ｒｏ＝Ｒｉ−β１’×Ｗｏ
Ｇｏ＝Ｇｉ−β２’×Ｗｏ
Ｂｏ＝Ｒｉ−β３’×Ｗｏ
Ｒｉは入力したＲデータを表示し、Ｇｉは入力したＧデータを表示し、Ｂｉは入力したＢデータを表示し、Ｗｏは前記出力したＷデータを表示し、Ｒｏは前記出力したＲデータを表示し、Ｇｏは前記出力したＧデータを表示し、Ｂｏは前記出力したＢデータを表示し、β１’は調整後の第１所定飽和パラメータを表示し、β２’は調整後の第２所定飽和パラメータを表示し、β３’は調整後の第３所定飽和パラメータを表示することを特徴とする請求項５に記載の変換方法。
【請求項８】
三色データから四色データへの変換システムであって、
第１所定飽和パラメータ、第２所定飽和パラメータ及び第３所定飽和パラメータに基づいて入力したＲＧＢデータを中間のＲＧＢＷデータに変換するように構成される第１データ変換ユニットと、
前記中間のＲＧＢＷデータと標準のＲＧＢＷデータに基づいて第１飽和微調整パラメータ、第２飽和微調整パラメータ及び第３飽和微調整パラメータを取得するように構成される飽和対比ユニットと、
前記第１飽和微調整パラメータ、第２飽和微調整パラメータ及び第３飽和微調整パラメータを利用して対応する前記第１所定飽和パラメータ、第２所定飽和パラメータ及び第３所定飽和パラメータをそれぞれ調整するように構成されるパラメータ調整ユニットと、
調整後の第１所定飽和パラメータ、第２所定飽和パラメータ及び第３所定飽和パラメータを利用して入力したＲＧＢデータを出力したＲＧＢＷデータに変換するように構成される第２データ変換ユニットと、
を含む、
ことを特徴とする変換システム。
【請求項９】
前記変換システムに、この前の第１所定飽和パラメータ、この前の第２所定飽和パラメータ及びこの前の第３所定飽和パラメータを記憶するように構成される記憶ユニットをさらに含み、
前記第１所定飽和パラメータは記憶したこの前の第１所定飽和パラメータであり、前記第２所定飽和パラメータは記憶したこの前の第２所定飽和パラメータであり、前記第３所定飽和パラメータは記憶したこの前の第３所定飽和パラメータであることを特徴とする請求項８に記載の変換システム。
【請求項１０】
前記第１データ変換ユニットはさらに、前記第１所定飽和パラメータ、第２所定飽和パラメータ及び第３所定飽和パラメータに基づいて下記式１を利用して入力したＲＧＢデータを中間のＲＧＢＷデータに変換するように構成され、
［式１］
Ｗｍ＝ｍｉｎ（Ｒｉ、Ｇｉ、Ｂｉ）
Ｒｍ＝Ｒｉ−β１×Ｗｍ
Ｇｍ＝Ｇｉ−β２×Ｗｍ
Ｂｍ＝Ｒｉ−β３×Ｗｍ
Ｒｉは入力したＲデータを表示し、Ｇｉは入力したＧデータを表示し、Ｂｉは入力したＢデータを表示し、Ｗｍは前記中間のＷデータを表示し、Ｒｍは前記中間のＲデータを表示し、Ｇｍは前記中間のＧデータを表示し、Ｂｍは前記中間のＢデータを表示し、β１は前記第１所定飽和パラメータを表示し、β２は前記第２所定飽和パラメータを表示し、β３は前記第３所定飽和パラメータを表示することを特徴とする請求項８に記載の変換システム。
【請求項１１】
前記第１データ変換ユニットはさらに、前記第１所定飽和パラメータ、第２所定飽和パラメータ及び第３所定飽和パラメータに基づいて下記式１を利用して入力したＲＧＢデータを中間のＲＧＢＷデータに変換するように構成され、
［式１］
Ｗｍ＝ｍｉｎ（Ｒｉ、Ｇｉ、Ｂｉ）
Ｒｍ＝Ｒｉ−β１×Ｗｍ
Ｇｍ＝Ｇｉ−β２×Ｗｍ
Ｂｍ＝Ｒｉ−β３×Ｗｍ
Ｒｉは入力したＲデータを表示し、Ｇｉは入力したＧデータを表示し、Ｂｉは入力したＢデータを表示し、Ｗｍは前記中間のＷデータを表示し、Ｒｍは前記中間のＲデータを表示し、Ｇｍは前記中間のＧデータを表示し、Ｂｍは前記中間のＢデータを表示し、β１は前記第１所定飽和パラメータを表示し、β２は前記第２所定飽和パラメータを表示し、β３は前記第３所定飽和パラメータを表示することを特徴とする請求項９に記載の変換システム。
【請求項１２】
前記パラメータ調整ユニットはさらに、前記第１飽和微調整パラメータ、第２飽和微調整パラメータ及び第３飽和微調整パラメータを利用して下記式２に基づいて対応する前記第１所定飽和パラメータ、第２所定飽和パラメータ及び第３所定飽和パラメータをそれぞれ調整するように構成され、
［式２］
β１’＝β１＋Δβ１
β２’＝β２＋Δβ２
β３’＝β３＋Δβ３
β１’は調整後の第１所定飽和パラメータを表示し、β２’は調整後の第２所定飽和パラメータを表示し、β３’は調整後の第３所定飽和パラメータを表示し、β１は前記第１所定飽和パラメータを表示し、β２は前記第２所定飽和パラメータを表示し、β３は前記第３所定飽和パラメータを表示し、Δβ１は前記第１飽和微調整パラメータを表示し、Δβ２は前記第２飽和微調整パラメータを表示し、Δβ３は前記第３飽和微調整パラメータを表示することを特徴とする請求項１０に記載の変換システム。
【請求項１３】
前記パラメータ調整ユニットはさらに、前記第１飽和微調整パラメータ、第２飽和微調整パラメータ及び第３飽和微調整パラメータを利用して下記式２に基づいて対応する前記第１所定飽和パラメータ、第２所定飽和パラメータ及び第３所定飽和パラメータをそれぞれ調整するように構成され、
［式２］
β１’＝β１＋Δβ１
β２’＝β２＋Δβ２
β３’＝β３＋Δβ３
β１’は調整後の第１所定飽和パラメータを表示し、β２’は調整後の第２所定飽和パラメータを表示し、β３’は調整後の第３所定飽和パラメータを表示し、β１は前記第１所定飽和パラメータを表示し、β２は前記第２所定飽和パラメータを表示し、β３は前記第３所定飽和パラメータを表示し、Δβ１は前記第１飽和微調整パラメータを表示し、Δβ２は前記第２飽和微調整パラメータを表示し、Δβ３は前記第３飽和微調整パラメータを表示することを特徴とする請求項１１に記載の変換システム。
【請求項１４】
前記第２データ変換ユニットはさらに、調整後の第１所定飽和パラメータ、第２所定飽和パラメータ及び第３所定飽和パラメータを利用して下記式３に基づいて入力したＲＧＢデータを出力したＲＧＢＷデータに変換するように構成され、
［式３］
Ｗｏ＝ｍｉｎ（Ｒｉ、Ｇｉ、Ｂｉ）
Ｒｏ＝Ｒｉ−β１’×Ｗｏ
Ｇｏ＝Ｇｉ−β２’×Ｗｏ
Ｂｏ＝Ｒｉ−β３’×Ｗｏ
Ｒｉは入力したＲデータを表示し、Ｇｉは入力したＧデータを表示し、Ｂｉは入力したＢデータを表示し、Ｗｏは前記出力したＷデータを表示し、Ｒｏは前記出力したＲデータを表示し、Ｇｏは前記出力したＧデータを表示し、Ｂｏは前記出力したＢデータを表示し、β１’は調整後の第１所定飽和パラメータを表示し、β２’は調整後の第２所定飽和パラメータを表示し、β３’は調整後の第３所定飽和パラメータを表示することを特徴とする請求項１２に記載の変換システム。
【請求項１５】
前記第２データ変換ユニットはさらに、調整後の第１所定飽和パラメータ、第２所定飽和パラメータ及び第３所定飽和パラメータを利用して下記式３に基づいて入力したＲＧＢデータを出力したＲＧＢＷデータに変換するように構成され、
［式３］
Ｗｏ＝ｍｉｎ（Ｒｉ、Ｇｉ、Ｂｉ）
Ｒｏ＝Ｒｉ−β１’×Ｗｏ
Ｇｏ＝Ｇｉ−β２’×Ｗｏ
Ｂｏ＝Ｒｉ−β３’×Ｗｏ
Ｒｉは入力したＲデータを表示し、Ｇｉは入力したＧデータを表示し、Ｂｉは入力したＢデータを表示し、Ｗｏは前記出力したＷデータを表示し、Ｒｏは前記出力したＲデータを表示し、Ｇｏは前記出力したＧデータを表示し、Ｂｏは前記出力したＢデータを表示し、β１’は調整後の第１所定飽和パラメータを表示し、β２’は調整後の第２所定飽和パラメータを表示し、β３’は調整後の第３所定飽和パラメータを表示することを特徴とする請求項１３に記載の変換システム。
【発明の詳細な説明】
【技術分野】
【０００１】
本発明は表示技術分野に属し、具体的には、三色データから四色データへの変換方法及び変換システムに関する。
【背景技術】
【０００２】
有機発光ダイオード（Ｏｒｇａｎｉｃ  Ｌｉｇｈｔ−Ｅｍｉｔｔｉｎｇ  Ｄｉｏｄｅ、ＯＬＥＤ）表示技術は有機フィルムを発光体とする自己発光の表示技術であり、その動作原理としては、外部電圧の駆動により、電極から注入された電子と正孔が有機材料において複合してエネルギーを放出し、エネルギーを有機発光材料の分子に伝達し、有機発光材料の分子が励起され、基底状態から励起状態に遷移し、励起された分子が励起状態から基底状態に戻った時輻射を遷移して発光現象が生じることである。
【０００３】
異なる発光材料が異なる色の光に対応し、通常使用されるＯＬＥＤは３種類があり、第１種類は白色光のみが発射するＯＬＥＤであり、それは一種類の有機物のみを有し、それがＯＬＥＤディスプレイに発射した白色光はカラーフィルター（Ｃｏｌｏｒ  Ｆｉｌｔｅｒ）によって赤緑青（ＲＧＢ）の三色を形成する必要があり、第２種類はそれぞれＲＧＢの三色の光が発射するカラーＯＬＥＤであり、それは三種類の有機物を有し、それが発射したＲＧＢの三色の光を白色光に合成し、第３種類はそれぞれＲＧＢＷの四色の光が発射するＯＬＥＤであり、それは四種類の有機物を有し、白色光は単独なＷサブピクセルにより生じる。ＲＧＢＷ−ＯＬＥＤディスプレイは通常のＯＬＥＤの薄く、広視野角、高いコントラスト等の利点を有するほか、さらにＷサブピクセルを含み、カラーフィルターを使用しない条件において全てのカラーの表示を実現するだけでなく、単独なＷサブピクセルも表示輝度に対して大きく向上させ、電力消費を節約する。
【０００４】
しかしながら、ＲＧＢＷ−ＯＬＥＤディスプレイは以上の利点を有するが、各サブピクセルの耐用期間が異なり、例えば、青サブピクセルの耐用期間＜赤サブピクセルの耐用期間＜緑サブピクセルの耐用期間である。ＲＧＢＷ−ＯＬＥＤディスプレイの耐用期間は耐用期間が最も短い青サブピクセルにより決められ、使用時間の増加に伴い、青サブピクセルの老化が最も速く、その輝度が徐々に低下し、これによってＲＧＢＷ−ＯＬＥＤディスプレイが表示される画面に色ズレを発生させる。また、白（Ｗ）サブピクセルの導入もＲＧＢＷ−ＯＬＥＤディスプレイが表示される画面の色の飽和度を低減ささせ、画面表示の効果に影響を与える。
【発明の概要】
【０００５】
上記従来技術に存在する問題を解決するために、本発明の目的は三色データから四色データへの変換方法を提供することであり、第１所定飽和パラメータ、第２所定飽和パラメータ及び第３所定飽和パラメータに基づいて入力したＲＧＢデータを中間のＲＧＢＷデータに変換するステップＡと、前記中間のＲＧＢＷデータと標準のＲＧＢＷデータに基づいて第１飽和微調整パラメータ、第２飽和微調整パラメータ及び第３飽和微調整パラメータを取得するステップＢと、前記第１飽和微調整パラメータ、第２飽和微調整パラメータ及び第３飽和微調整パラメータを利用して対応する第１所定飽和パラメータ、第２所定飽和パラメータ及び第３飽和パラメータをそれぞれ調整するステップＣと、調整後の第１所定飽和パラメータ、第２所定飽和パラメータ及び第３所定飽和パラメータを利用して入力したＲＧＢデータを出力したＲＧＢＷデータに変換するステップＤと、を含む。
【０００６】
さらに、前記第１所定飽和パラメータ、第２所定飽和パラメータ及び第３所定飽和パラメータに基づいて下記式１を利用して入力したＲＧＢデータを中間のＲＧＢＷデータに変換し、
［式１］
Ｗｍ＝ｍｉｎ（Ｒｉ、Ｇｉ、Ｂｉ）
Ｒｍ＝Ｒｉ−β１×Ｗｍ
Ｇｍ＝Ｇｉ−β２×Ｗｍ
Ｂｍ＝Ｒｉ−β３×Ｗｍ
Ｒｉは入力したＲデータを表示し、Ｇｉは入力したＧデータを表示し、Ｂｉは入力したＢデータを表示し、Ｗｍは前記中間のＷデータを表示し、Ｒｍは前記中間のＲデータを表示し、Ｇｍは前記中間のＧデータを表示し、Ｂｍは前記中間のＢデータを表示し、β１は前記第１所定飽和パラメータを表示し、β２は前記第２所定飽和パラメータを表示し、β３は前記第３所定飽和パラメータを表示する。
【０００７】
さらに、前記第１所定飽和パラメータは記憶したこの前の第１所定飽和パラメータであり、前記第２所定飽和パラメータは記憶したこの前の第２所定飽和パラメータであり、前記第３所定飽和パラメータは記憶したこの前の第３所定飽和パラメータである。
【０００８】
さらに、前記第１飽和微調整パラメータ、第２飽和微調整パラメータ及び第３飽和微調整パラメータを利用して下記式２に基づいて対応する第１所定飽和パラメータ、第２所定飽和パラメータ及び第３飽和パラメータをそれぞれ調整し、
［式２］
β１’＝β１＋Δβ１
β２’＝β２＋Δβ２
β３’＝β３＋Δβ３
β１’は調整後の第１所定飽和パラメータを表示し、β２’は調整後の第２所定飽和パラメータを表示し、β３’は調整後の第３所定飽和パラメータを表示し、β１は前記第１所定飽和パラメータを表示し、β２は前記第２所定飽和パラメータを表示し、β３は前記第３所定飽和パラメータを表示し、Δβ１は前記第１飽和微調整パラメータを表示し、Δβ２は前記第２飽和微調整パラメータを表示し、Δβ３は前記第３飽和微調整パラメータを表示する。
【０００９】
さらに、調整後の第１所定飽和パラメータ、第２所定飽和パラメータ及び第３所定飽和パラメータを利用して下記式３に基づいて入力したＲＧＢデータを出力したＲＧＢＷデータに変換し、
［式３］
Ｗｏ＝ｍｉｎ（Ｒｉ、Ｇｉ、Ｂｉ）
Ｒｏ＝Ｒｉ−β１’×Ｗｏ
Ｇｏ＝Ｇｉ−β２’×Ｗｏ
Ｂｏ＝Ｒｉ−β３’×Ｗｏ
Ｒｉは入力したＲデータを表示し、Ｇｉは入力したＧデータを表示し、Ｂｉは入力したＢデータを表示し、Ｗｏは前記出力したＷデータを表示し、Ｒｏは前記出力したＲデータを表示し、Ｇｏは前記出力したＧデータを表示し、Ｂｏは前記出力したＢデータを表示し、β１’は調整後の第１所定飽和パラメータを表示し、β２’は調整後の第２所定飽和パラメータを表示し、β３’は調整後の第３所定飽和パラメータを表示する。
【００１０】
本発明のもう一つの目的は三色データから四色データへの変換システムを提供することであり、第１所定飽和パラメータ、第２所定飽和パラメータ及び第３所定飽和パラメータに基づいて入力したＲＧＢデータを中間のＲＧＢＷデータに変換するように構成される第１データ変換ユニットと、前記中間のＲＧＢＷデータと標準のＲＧＢＷデータに基づいて第１飽和微調整パラメータ、第２飽和微調整パラメータ及び第３飽和微調整パラメータを取得するように構成される飽和対比ユニットと、前記第１飽和微調整パラメータ、第２飽和微調整パラメータ及び第３飽和微調整パラメータを利用して対応する前記第１所定飽和パラメータ、第２所定飽和パラメータ及び第３所定飽和パラメータをそれぞれ調整するように構造されるパラメータ調整ユニットと、調整後の第１所定飽和パラメータ、第２所定飽和パラメータ及び第３所定飽和パラメータを利用して入力したＲＧＢデータを出力したＲＧＢＷデータに変換するように構成される第２データ変換ユニットと、を含む。
【００１１】
さらに、前記変換システムは、この前の第１所定飽和パラメータ、この前の第２所定飽和パラメータ及びこの前の第３所定飽和パラメータを記憶するように構成される記憶ユニットをさらに含み、前記第１所定飽和パラメータは記憶したこの前の第１所定飽和パラメータであり、前記第２所定飽和パラメータは記憶したこの前の第２所定飽和パラメータであり、前記第３所定飽和パラメータは記憶したこの前の第３所定飽和パラメータである。
さらに、前記第１データ変換ユニットは、前記第１所定飽和パラメータ、第２所定飽和パラメータ及び第３所定飽和パラメータに基づいて下記式１を利用して入力したＲＧＢデータを中間のＲＧＢＷデータに変換するように構成され、
［式１］
Ｗｍ＝ｍｉｎ（Ｒｉ、Ｇｉ、Ｂｉ）
Ｒｍ＝Ｒｉ−β１×Ｗｍ
Ｇｍ＝Ｇｉ−β２×Ｗｍ
Ｂｍ＝Ｒｉ−β３×Ｗｍ
Ｒｉは入力したＲデータを表示し、Ｇｉは入力したＧデータを表示し、Ｂｉは入力したＢデータを表示し、Ｗｍは前記中間のＷデータを表示し、Ｒｍは前記中間のＲデータを表示し、Ｇｍは前記中間のＧデータを表示し、Ｂｍは前記中間のＢデータを表示し、β１は前記第１所定飽和パラメータを表示し、β２は前記第２所定飽和パラメータを表示し、β３は前記第３所定飽和パラメータを表示する。
【００１２】
さらに、前記パラメータ調整ユニットは、前記第１飽和微調整パラメータ、第２飽和微調整パラメータ及び第３飽和微調整パラメータを利用して下記式２に基づいて対応する前記第１所定飽和パラメータ、第２所定飽和パラメータ及び第３所定飽和パラメータをそれぞれ調整するように構成され、
［式２］
β１’＝β１＋Δβ１
β２’＝β２＋Δβ２
β３’＝β３＋Δβ３
β１’は調整後の第１所定飽和パラメータを表示し、β２’は調整後の第２所定飽和パラメータを表示し、β３’は調整後の第３所定飽和パラメータを表示し、β１は前記第１所定飽和パラメータを表示し、β２は前記第２所定飽和パラメータを表示し、β３は前記第３所定飽和パラメータを表示し、Δβ１は前記第１飽和微調整パラメータを表示し、Δβ２は前記第２飽和微調整パラメータを表示し、Δβ３は前記第３飽和微調整パラメータを表示する。
【００１３】
さらに、前記第２データ変換ユニットは、調整後の第１所定飽和パラメータ、第２所定飽和パラメータ及び第３所定飽和パラメータを利用して下記式３に基づいて入力したＲＧＢデータを出力したＲＧＢＷデータに変換するように構成され、
［式３］
Ｗｏ＝ｍｉｎ（Ｒｉ、Ｇｉ、Ｂｉ）
Ｒｏ＝Ｒｉ−β１’×Ｗｏ
Ｇｏ＝Ｇｉ−β２’×Ｗｏ
Ｂｏ＝Ｒｉ−β３’×Ｗｏ
Ｒｉは入力したＲデータを表示し、Ｇｉは入力したＧデータを表示し、Ｂｉは入力したＢデータを表示し、Ｗｏは前記出力したＷデータを表示し、Ｒｏは前記出力したＲデータを表示し、Ｇｏは前記出力したＧデータを表示し、Ｂｏは前記出力したＢデータを表示し、β１’は調整後の第１所定飽和パラメータを表示し、β２’は調整後の第２所定飽和パラメータを表示し、β３’は調整後の第３所定飽和パラメータを表示する。
【発明の効果】
【００１４】
本発明の三色データから四色データへの変換システム及び変換方法は、各サブピクセルの耐用年数を効果的に延長することができ、同時に表示装置が表示する画面の色の飽和度を改善することができる。
【図面の簡単な説明】
【００１５】
図面に合わせて以下の記述を行い、本発明の実施例の上記及び他の方面、特徴と利点をはっきりさせ、図面において、
【図１】図１は本発明の実施例に基づく表示装置のブロック図である。
【図２】図２は本発明の実施例に基づく表示パネルの構造図である。
【図３】図３は本発明の実施例に基づく三色データから四色データへの変換システムの原理ブロック図である。
【図４】図４は本発明の実施例に基づく三色データから四色データへの変換方法のフローチャートである。
【発明を実施するための形態】
【００１６】
以下、図面を参照して本発明の実施例を詳細に説明する。しかしながら、様々な異なる業態で本発明を実施することができ、本発明はここに記述している具体的な実施例に限定されないべきである。逆に、これらの実施例を提供することは本発明の原理及びその実際の応用を解釈するためであり、これによって当業者は本発明の各実施例と特定の期待に適用する様々な修正を理解すべきである。
【００１７】
図１は本発明の実施例に基づく表示装置のブロック図である。図２は本発明の実施例に基づく表示パネルの構造図である。
【００１８】
図１と図２に示すように、本発明の実施例に基づく表示装置は有機発光ダイオード（ＯＬＥＤ）表示装置であり、表示パネル１、スキャナードライバ２、データドライバ３、三色データから四色データへの変換システム４を含む。
【００１９】
表示パネル１は、横方向に沿って延伸する走査線Ｇ１〜Ｇｎ（ｎが自然数である）及び縦方向に沿って延伸するデータ線Ｓ１〜Ｓｍ（ｍが自然数である）を含む。走査線Ｇ１〜Ｇｎは何れもスキャナードライバ２に接続し、データ線Ｓ１〜Ｓｍは何れもデータドライバ３に接続する。
【００２０】
サブピクセルＬｉｊ（赤（Ｒ）サブピクセル又は緑（Ｇ）サブピクセル又は青（Ｂ）サブピクセル又は白（Ｗ）サブピクセル）は走査線Ｇｉ、Ｇｉ＋１（ｉは１〜ｎにおける任意の自然数である）とデータ線Ｓｊ、Ｓｊ＋１（ｊは１〜ｍにおける任意の自然数である）が限定されるエリアに設置され、一つの赤（Ｒ）サブピクセル、一つの緑（Ｇ）サブピクセル、一つの青（Ｂ）サブピクセルと一つの白（Ｗ）サブピクセルは一つのピクセルを構成する。
【００２１】
薄膜トランジスタ（ＴＦＴ）Ｑｉｊは走査線Ｇｉとデータ線Ｓｊの各交差箇所の付近に設置される。
【００２２】
さらに、走査線Ｇｉは薄膜トランジスタＱｉｊのグリッド電極に接続し、データ線Ｓｊは薄膜トランジスタＱｉｊのソ一ス電極に接続し、サブピクセルＬｉｊ（赤（Ｒ）サブピクセル又は緑（Ｇ）サブピクセル又は青（Ｂ）サブピクセル又は白（Ｗ）サブピクセル）は薄膜トランジスタＱｉｊのドレイン電極に接続する。
【００２３】
スキャナードライバ２とデータドライバ３は表示パネル１の周囲に設置される。三色データから四色データへの変換システム４は入力したＲＧＢデータを出力したＲＧＢＷデータに変換し、該出力したＲＧＢＷデータをデータドライバ３に提供する。ここでは、入力したＲＧＢデータは例えば外部ホストコンピューター又はグラフィックコントローラ（未図示）により提供することができる。
【００２４】
データドライバ３は三色データから四色データへの変換システム４により提供される出力したＲＧＢＷデータを受信して処理し、アナログ型データ信号を生成してデータ線Ｓ１〜Ｓｍに提供するようにさせる。スキャナードライバ２は走査線Ｇ１〜Ｇｎの順に複数の走査信号を提供する。表示パネル１はデータドライバ３により提供されるアナログ型データ信号とスキャナードライバ２により提供される走査信号に従って画像を表示する。
【００２５】
図３は本発明の実施例に基づく三色データから四色データへの変換システムの原理ブロック図である。
【００２６】
図３に示すように、本発明の実施例に基づく三色データから四色データへの変換システム４は、第１データ変換ユニット４１と、飽和対比ユニット４２と、パラメータ調整ユニット４３と、第２データ変換ユニット４４と、記憶ユニット４５とを含む。本発明の他の実施形態に基づき、変換システム４は他の及び／又は異なるユニットを含むことができる。類似するように、上記ユニットの機能は一つのアセンブリに合併することができる。
【００２７】
具体的には、第１データ変換ユニット４１は記憶ユニット４５から受信した第１所定飽和パラメータ、第２所定飽和パラメータ及び第３所定飽和パラメータに基づいて入力したＲＧＢデータを中間のＲＧＢＷデータに変換するように構成される。
【００２８】
注意すべきことは、第１所定飽和パラメータは記憶ユニット４５が記憶したこの前の第１所定飽和パラメータであり、即ち第１所定飽和パラメータは記憶ユニット４５が記憶した表示装置の前回起動時の調整後の第１所定飽和パラメータであり、第２所定飽和パラメータは記憶ユニット４５が記憶したこの前の第２所定飽和パラメータであり、即ち第２所定飽和パラメータは記憶ユニット４５が記憶した表示装置の前回起動時の調整後の第２所定飽和パラメータであり、第３所定飽和パラメータは記憶ユニット４５が記憶したこの前の第３所定飽和パラメータであり、即ち第３所定飽和パラメータは記憶ユニット４５が記憶した表示装置の前回起動時の調整後の第３所定飽和パラメータである。
【００２９】
さらに、第１データ変換ユニット４１は第１所定飽和パラメータ、第２所定飽和パラメータ及び第３所定飽和パラメータに基づいて下記式１を利用して入力したＲＧＢデータを中間のＲＧＢＷデータに変換するように構成される。
【００３０】
［式１］
Ｗｍ＝ｍｉｎ（Ｒｉ、Ｇｉ、Ｂｉ）
Ｒｍ＝Ｒｉ−β１×Ｗｍ
Ｇｍ＝Ｇｉ−β２×Ｗｍ
Ｂｍ＝Ｒｉ−β３×Ｗｍ
Ｒｉは入力したＲデータを表示し、Ｇｉは入力したＧデータを表示し、Ｂｉは入力したＢデータを表示し、ｍｉｎ（Ｒｉ、Ｇｉ、Ｂｉ）はＲｉ、Ｇｉ、Ｂｉにおける最小値を表示し、Ｗｍは前記中間のＷデータを表示し、Ｒｍは前記中間のＲデータを表示し、Ｇｍは前記中間のＧデータを表示し、Ｂｍは前記中間のＢデータを表示し、β１は前記第１所定飽和パラメータを表示し、β２は前記第２所定飽和パラメータを表示し、β３は前記第３所定飽和パラメータを表示する。
【００３１】
飽和対比ユニット４２は中間のＲＧＢＷデータと標準のＲＧＢＷデータに基づいて第１飽和微調整パラメータ、第２飽和微調整パラメータ及び第３飽和微調整パラメータを取得するように構成される。
【００３２】
さらに、飽和対比ユニット４２は中間のＲＧＢＷデータを利用してＨＳＶ色空間の実際の飽和値を計算する。例えば、飽和対比ユニット４２は下記式２を利用して該実際の飽和値を計算する。
【００３３】
［式２］
2018520445.tif 000003
γは前記中間のＲデータを表示し、ｇは前記中間のＧデータを表示し、ｂは前記中間のＢデータを表示し、ｍａｘはｒ、ｇ、ｂにおける最大値を表示し、ｍｉｎはｒ、ｇ、ｂにおける最小値を表示し、ｈはＨＳＶ色空間の色調値を表示し、ｓはＨＳＶ色空間の飽和値を表示し、νはＨＳＶ色空間の輝度値を表示する。
【００３４】
飽和対比ユニット４２はさらに該実際の飽和値を所定飽和値と比較し、飽和対比ユニット４２は比較結果に基づいて第１飽和微調整パラメータ、第２飽和微調整パラメータ及び第３飽和微調整パラメータを取得する。標準のＲＧＢＷデータに基づいて上記式２を利用して該所定飽和値を取得する。
【００３５】
パラメータ調整ユニット４３は第１飽和微調整パラメータ、第２飽和微調整パラメータ及び第３飽和微調整パラメータを利用して対応する第１所定飽和パラメータ、第２所定飽和パラメータ及び第３所定飽和パラメータをそれぞれ調整するように構成される。
【００３６】
さらに、パラメータ調整ユニット４３は第１飽和微調整パラメータ、第２飽和微調整パラメータ及び第３飽和微調整パラメータを利用して下記式２に基づいて対応する第１所定飽和パラメータ、第２所定飽和パラメータ及び第３所定飽和パラメータをそれぞれ調整するように構成される。
【００３７】
［式２］
β１’＝β１＋Δβ１
β２’＝β２＋Δβ２
β３’＝β３＋Δβ３
β１’は調整後の第１所定飽和パラメータを表示し、β２’は調整後の第２所定飽和パラメータを表示し、β３’は調整後の第３所定飽和パラメータを表示し、β１は前記第１所定飽和パラメータを表示し、β２は前記第２所定飽和パラメータを表示し、β３は前記第３所定飽和パラメータを表示し、Δβ１は前記第１飽和微調整パラメータを表示し、Δβ２は前記第２飽和微調整パラメータを表示し、Δβ３は前記第３飽和微調整パラメータを表示する。
【００３８】
ここで注目すべきことは、飽和対比ユニット４２は該実際の飽和値が該所定飽和値の以上と判断した場合、第１飽和微調整パラメータ、第２飽和微調整パラメータ及び第３飽和微調整パラメータは何れも０である。
【００３９】
飽和対比ユニット４２は該実際の飽和値が該所定飽和値より小さいと判断した場合、飽和対比ユニット４２は、該実際の飽和値が該所定飽和値の以上になるまで、第１所定飽和パラメータと第３所定飽和パラメータを減少し、第２所定飽和パラメータを拡大し、その後第１所定飽和パラメータと第３所定飽和パラメータの減少量を利用してそれぞれ対応する第１飽和微調整パラメータと第３飽和微調整パラメータとし、第２所定飽和パラメータの拡大量を利用して第２飽和微調整パラメータとする。理解すべきことは、この時、Δβ１とΔβ３は負数であり、Δβ２は正数である。
【００４０】
第２データ変換ユニット４４は調整後の第１所定飽和パラメータ、第２所定飽和パラメータ及び第３所定飽和パラメータを利用して入力したＲＧＢデータを出力したＲＧＢＷデータに変換するように構成される。
【００４１】
さらに、第２データ変換ユニット４４は調整後の第１所定飽和パラメータ、第２所定飽和パラメータ及び第３所定飽和パラメータを利用して下記式３に基づいて入力したＲＧＢデータを出力したＲＧＢＷデータに変換するように構成される。
【００４２】
［式３］
Ｗｏ＝ｍｉｎ（Ｒｉ、Ｇｉ、Ｂｉ）
Ｒｏ＝Ｒｉ−β１’×Ｗｏ
Ｇｏ＝Ｇｉ−β２’×Ｗｏ
Ｂｏ＝Ｒｉ−β３’×Ｗｏ
Ｒｉは入力したＲデータを表示し、Ｇｉは入力したＧデータを表示し、Ｂｉは入力したＢデータを表示し、ｍｉｎ（Ｒｉ、Ｇｉ、Ｂｉ）はＲｉ、Ｇｉ、Ｂｉにおける最小値を表示し、Ｗｏは前記出力したＷデータを表示し、Ｒｏは前記出力したＲデータを表示し、Ｇｏは前記出力したＧデータを表示し、Ｂｏは前記出力したＢデータを表示し、β１’は調整後の第１所定飽和パラメータを表示し、β２’は調整後の第２所定飽和パラメータを表示し、β３’は調整後の第３所定飽和パラメータを表示する。
【００４３】
記憶ユニット４５は本発明の実施例に基づく表示装置が次回起動表示時の第１所定飽和パラメータ、第２所定飽和パラメータ及び第３所定飽和パラメータとするために、調整後の第１所定飽和パラメータ、第２所定飽和パラメータ及び第３所定飽和パラメータを記憶する。
【００４４】
図４は本発明の実施例に基づく三色データから四色データへの変換方法のフローチャートである。
【００４５】
図４に示すように、操作４１０において、入力したＲＧＢデータを出力したＲＧＢＷデータに変換する三色データから四色データへの変換システムは第１所定飽和パラメータ、第２所定飽和パラメータ及び第３所定飽和パラメータに基づいて入力したＲＧＢデータを中間のＲＧＢＷデータに変換する。さらに、三色データから四色データへの変換システムは第１所定飽和パラメータ、第２所定飽和パラメータ及び第３所定飽和パラメータに基づいて上記式１を利用して入力したＲＧＢデータを中間のＲＧＢＷデータに変換する。
【００４６】
注意すべきことは、第１所定飽和パラメータは前記変換装置が記憶したこの前の第１所定飽和パラメータであり、即ち第１所定飽和パラメータは前記変換システムが記憶した表示装置の前回起動時の調整後の第１所定飽和パラメータであり、第２所定飽和パラメータは前記変換装置が記憶したこの前の第２所定飽和パラメータであり、即ち第２所定飽和パラメータは前記変換システムが記憶した表示装置の前回起動時の調整後の第２所定飽和パラメータであり、第３所定飽和パラメータは前記変換装置が記憶したこの前の第３所定飽和パラメータであり、即ち第３所定飽和パラメータは前記変換システムが記憶した表示装置の前回起動時の調整後の第３所定飽和パラメータである。
【００４７】
操作４２０において、三色データから四色データへの変換システムは中間のＲＧＢＷデータと標準のＲＧＢＷデータに基づいて第１飽和微調整パラメータ、第２飽和微調整パラメータ及び第３飽和微調整パラメータを取得する。
【００４８】
操作４３０において、三色データから四色データへの変換システムは第１飽和微調整パラメータ、第２飽和微調整パラメータ及び第３飽和微調整パラメータを利用して対応する前記第１所定飽和パラメータ、第２所定飽和パラメータ及び第３所定飽和パラメータをそれぞれ調整する。さらに、三色データから四色データへの変換システムは第１飽和微調整パラメータ、第２飽和微調整パラメータ及び第３飽和微調整パラメータを利用して上記式２に基づいて対応する第１所定飽和パラメータ、第２所定飽和パラメータ及び第３所定飽和パラメータをそれぞれ調整する。
【００４９】
操作４４０において、三色データから四色データへの変換システムは調整後の第１所定飽和パラメータ、第２所定飽和パラメータ及び第３所定飽和パラメータを利用して入力したＲＧＢデータを出力したＲＧＢＷデータに変換する。さらに、三色データから四色データへの変換システムは調整後の第１所定飽和パラメータ、第２所定飽和パラメータ及び第３所定飽和パラメータを利用して上記式３に基づいて入力したＲＧＢデータを出力したＲＧＢＷデータに変換する。
【００５０】
以上まとめると、本発明の実施例に基づく三色データから四色データへの変換システム及び変換方法は、各サブピクセルの耐用年数を効果的に延長することができ、同時に表示装置が表示する画面の色の飽和度を改善することができる。
【００５１】
特定の実施例を参照して本発明を示して記述されたが、当業者であれば、請求項及びその等価物が限定される本発明の精神と範囲を逸脱しない限り、これに基づいて業態と細部において様々な変化ができる。
【図１】
2018520445.tif 000004
【図２】
2018520445.tif 000005
【図３】
2018520445.tif 000006
【図４】
2018520445.tif 000007
【国際調査報告】
2018520445.tif 000008
2018520445.tif 000009
2018520445.tif 000010
2018520445.tif 000011